(57)【要約】【課題】規格の異なるサイズへの対応を可能とし得て、汎用性を向上することができるＬＥＤ照明装置を提供する。【解決手段】本発明は、円筒状の管体１１と、管体１１の軸線方向に沿って内装された基板１３と、基板１３に実装された複数のＬＥＤ光源１２と、管体１１の両端に配置された口金１５と、口金１５から突出された端子１６と、を備え、口金１５の少なくとも一方を管体１１に対して軸線方向に沿って変位可能とした。【選択図】図２
2013089326.tif 000002
【特許請求の範囲】
【請求項１】
円筒状の管体と、該管体の軸線方向に沿って内装された基板と、該基板に実装された複数のＬＥＤ光源と、前記管体の両端に配置された口金と、該口金から突出された端子と、を備え、前記口金の少なくとも一方を前記管体に対して軸線方向に沿って変位可能としたことを特徴とするＬＥＤ照明装置。
【請求項２】
前記口金は前記管体に対して長管位置と短管位置との二位置で変位・固定可能であることを特徴とする請求項１に記載のＬＥＤ照明装置。
【請求項３】
前記口金のうち前記一方の前記端子と前記基板とは電気的な配線を行わず、前記口金のうち他方の前記端子と前記基板とを電気的に配線し、前記口金の前記一方のみを前記管体に対して軸線方向に沿って変位可能としたことを特徴とする請求項１又は請求項２に記載のＬＥＤ照明装置。
【請求項４】
前記管体の両端付近に固定されて前記基板を保持するブラケットと、前記口金と前記ブラケットとに跨るとともに前記口金に回転可能に保持された螺子と、を備え、該螺子と前記ブラケットとの螺合位置によって前記口金が軸線方向に沿って変位することを特徴とする請求項１乃至請求項３の何れか１項に記載のＬＥＤ照明装置。
【請求項５】
前記口金に一端が保持されて弾性変形可能な弾性片と、該弾性片の自由端部付近に設けられた凸部と、該凸部と係合するように前記管体の軸線方向に沿う複数個所に設けられた凹部と、を備えていることを特徴とする請求項１乃至請求項３の何れか１項に記載のＬＥＤ照明装置。
【発明の詳細な説明】
【技術分野】
【０００１】
本発明は、光源に複数のＬＥＤ光源を用いたＬＥＤ照明装置、特に、蛍光灯に替わる直管型のＬＥＤ照明装置に関する。
【背景技術】
【０００２】
近年、消費電力の抑制並びに耐久性の向上の観点から、円筒状のガラス管の内部で放電を行うことにより点灯する直管型の蛍光灯（以下、単に「蛍光灯」と称する）に代えて、光源に複数のＬＥＤ光源を配置したＬＥＤ照明装置が普及しつつある。
【０００３】
また、このようなＬＥＤ照明装置は、既存の蛍光灯と見掛け上の規格を同じとすることによって、照明装置本体への設置・接続を可能としている（例えば、特許文献１参照）。
【先行技術文献】
【特許文献】
【０００４】
【特許文献１】特開２０１１−１５０８１６号公報号公報
【発明の概要】
【発明が解決しようとする課題】
【０００５】
ところが、既存の蛍光灯の中には、例えば、２０型（全長５８０ｍｍ）の規格と、１６型（５８８．５ｍｍ）の規格といったように、点灯方式（１６型はインバータ方式）が異なるとの理由から、あえて従来点灯方式の蛍光灯とはサイズを微妙に異ならせたというものがある。
【０００６】
一方、ＬＥＤ照明装置は、ガラス管を用いることなく加工の容易な樹脂等を用いることができ、しかも、内部の密閉性（気密性）を厳密に確保する必要もない、という蛍光灯にはない利点を備えている。また、ＬＥＤ照明装置は、回路基板にＬＥＤ光源を実装することができるため、明るさ調節等の独自制御を含め、点灯方式の異なる照明装置本体への対応も容易である。
【０００７】
そこで、本発明は、ＬＥＤ光源を用いたＬＥＤ照明装置であって、規格の異なるサイズへの対応を可能とし得て、汎用性を向上することができるＬＥＤ照明装置を提供することを目的とする。
【課題を解決するための手段】
【０００８】
上記課題を解決するため、本発明のＬＥＤ照明装置は、円筒状の管体と、該管体の軸線方向に沿って内装された基板と、該基板に実装された複数のＬＥＤ光源と、前記管体の両端に配置された口金と、該口金から突出された端子と、を備え、前記口金の少なくとも一方を前記管体に対して軸線方向に沿って変位可能としたことを特徴とする。
【０００９】
本発明のＬＥＤ照明装置によれば、口金を管体に対して軸線方向に沿って変位可能としたことにより、規格の異なるサイズへの対応が可能となり、汎用性を向上することができる。
【００１０】
また、本発明のＬＥＤ照明装置は、前記口金は前記管体に対して長管位置と短管位置との二位置で変位・固定可能であることを特徴とする。
【００１１】
本発明のＬＥＤ照明装置によれば、ＬＥＤ照明装置の長さを二位置で変位可能とするとともに、その位置で口金を固定することができる。これにより、例えば、ＬＥＤ照明装置を照明装置本体に着脱する際、特に、長管位置にあるときにＬＥＤ照明装置を装着しようとした操作荷重により不測に長さが短くなってしまう等の不測な不具合を抑制することができる。
【００１２】
さらに、本発明のＬＥＤ照明装置は、前記口金のうち前記一方の前記端子と前記基板とは電気的な配線を行わず、前記口金のうち他方の前記端子と前記基板とを電気的に配線し、前記口金の前記一方のみを前記管体に対して軸線方向に沿って変位可能としたことを特徴とする。
【００１３】
本発明のＬＥＤ照明装置によれば、口金を軸線方向に沿って変位させた際の電気的配線構造を阻害する虞を抑制することができ、しかも、配線構造の簡素化に貢献することができる。
【００１４】
また、本発明のＬＥＤ照明装置は、前記管体の両端付近に固定されて前記基板を保持するブラケットと、前記口金と前記ブラケットとに跨るとともに前記口金に回転可能に保持された螺子と、を備え、該螺子と前記ブラケットとの螺合位置によって前記口金が軸線方向に沿って変位することを特徴とする。
【００１５】
本発明のＬＥＤ照明装置によれば、螺子の回転操作のみによって口金を変位・固定することができ、しかも、端子の位置を所定位置とすることができる。この際、例えば、管体に口金の停止位置を目視可能な目盛り等を設けることにより、規格サイズに適合した長さに容易に調節することができる。
【００１６】
また、本発明のＬＥＤ照明装置は、前記口金に一端が保持されて弾性変形可能な弾性片と、該弾性片の自由端部付近に設けられた凸部と、該凸部と係合するように前記管体の軸線方向に沿う複数個所に設けられた凹部と、を備えていることを特徴とする。
【００１７】
本発明のＬＥＤ装置によれば、凸部と凹部との係合位置を変えることによって口金を軸線方向に沿って変位・固定することができる。
【発明の効果】
【００１８】
本発明のＬＥＤ照明装置は、規格の異なるサイズへの対応を可能とし得て、汎用性を向上することができる。
【図面の簡単な説明】
【００１９】
【図１】本発明のＬＥＤ照明装置を示し、（Ａ）は直管型のＬＥＤ照明装置の中途部を省略した正面図、（Ｂ）は（Ａ）のＡ−Ａ線に沿う要部の拡大断面図である。
【図２】本発明のＬＥＤ照明装置の実施例１を示し、（Ａ）は図１（Ｂ）のＢ−Ｂ線に沿う短管状態の要部の拡大断面図、（Ｂ）は図１（Ｂ）のＢ−Ｂ線に沿う長管状態の要部の平面図である。
【図３】本発明のＬＥＤ照明装置の実施例２を示し、（Ａ）は図１（Ｂ）のＢ−Ｂ線に沿う短管状態の要部の拡大断面図、（Ｂ）は長管状態の要部の平面図である。
【発明を実施するための形態】
【００２０】
次に、本発明の一実施形態に係るＬＥＤ照明装置について、図面を参照して説明する。尚、以下に示す実施例は本発明のＬＥＤ照明装置における好適な具体例であり、技術的に好ましい種々の限定を付している場合もあるが、本発明の技術範囲は、特に本発明を限定する記載がない限り、これらの態様に限定されるものではない。また、以下に示す実施形態における構成要素は適宜、既存の構成要素等との置き換えが可能であり、かつ、他の既存の構成要素との組合せを含む様々なバリエーションが可能である。したがって、以下に示す実施形態の記載をもって、特許請求の範囲に記載された発明の内容を限定するものではない。
【００２１】
図１は本発明のＬＥＤ照明装置を示し、図１（Ａ）は直管型のＬＥＤ照明装置の中途部を省略した正面図、図１（Ｂ）は図１（Ａ）のＡ−Ａ線に沿う要部の拡大断面図である。
【００２２】
図１において、本発明のＬＥＤ照明装置１０は、無色透明又は有色透明（白色透明等）な管体１１と、管体１１の内部に多数のＬＥＤ光源１２（図１（Ｂ）で１つのみ図示）を実装した長尺な基板１３と、基板１３を保持すると共にＬＥＤ光源１２の点灯に伴う発熱を吸熱するヒートシンク板１４と、管体１１の両端に位置して管体１１の内部を閉塞するような状態で装着された口金１５と、口金１５から一部が突出して従来の照明装置本体に設けられた直管形蛍光灯の取付用ソケット部（図示せず）に嵌合装着される端子１６と、を備えている。
【００２３】
管体１１は、例えば、押し出し成形によって所定長さ毎に切断されて使用される。この際、管体１１は、基本的にはその規格に応じた長さに切断される。また、管体１１には、例えば、強度性や耐熱性に高く、透過性に優れると共に軽量でしかも加工性の良い樹脂（例えば、ポリカーボネート）が用いられており、蛍光灯の代替として用いる場合には白色透明とされている。さらに、管体１１の内壁面には、図１（Ｂ）に示すように、ヒートシンク板１４を吊り下げるように保持するレール状の保持部１１ａを一体に備えている。
【００２４】
ＬＥＤ光源１２は、白色等の照明光束を出射するものが用いられ、管体１１の軸線方向に沿って配置された基板１３に一列（若しくは複数列）に所定間隔（又は一定間隔）を開けて基板１３に実装されている。
【００２５】
基板１３は、ヒートシンク板１４と共に両端が口金１５の内壁面に保持されている。また、本実施の形態においては、基板１３の一端は端子１６と配線（図示せず）によって電源が供給され、この電源供給によってＬＥＤ光源１２が点灯する。さらに、基板１３の他端は、短管状態において口金１５の内壁面に突き当てられている。
【００２６】
ヒートシンク板１４は、基板１３を保持するためのブラケット機能を兼ねており、図１（Ｂ）に示すように、基板１３の長手方向（軸線方向）に沿う縁部を保持する内向きの保持部１４ａと、基板１３の背面と対向してＬＥＤ光源１２の点灯に伴う発熱を吸熱する吸熱部１４ｂと、吸熱部１４ｂと一体のフィン状（リブ状）の放熱部１４ｃと、管体１１の保持部１１ａと係合して保持される一対の被保持部１４ｄと、一対の被保持部１４ｄの間に位置して螺子１７の先端が螺合する雌螺子部１４ｅと、を備えている。
【００２７】
この際、螺子１７は、その締め付けによって管体１１の両端を、各口金１５の内壁面に突き当てるとともに、少なくともヒートシンク板１４の両端を各口金１５の内壁面に突き当てる。なお、基板１３は、ヒートシンク板１４に保持されていれば良いので、ヒートシンク板１４よりも短くても良い。また、本実施の形態においては、管体１１の一端側（上述した配線側）は螺子１７によって管体１１と口金１５とは固定とされており、管体１１の他端側（少なくとも一方側）は、管体１１と口金１５とは管体１１の軸線方向に沿って相対変位可能となっている。この際、管体１１の長さはこていであるため、口金１５が管体１１に対して変位することとなる。
【００２８】
（実施例１）
図２は本発明のＬＥＤ照明装置の実施例１を示し、図２（Ａ）は図１（Ｂ）のＢ−Ｂ線に沿う短管状態の要部の拡大断面図、図２（Ｂ）は図１（Ｂ）のＢ−Ｂ線に沿う長管状態の要部の平面図である。尚、上記実施の形態（図１）と同一の構成には、同一の符号を付して、その説明は省略する。
【００２９】
図２において、口金１５は、パッキン１８を介して端子１６を保持している。また、口金１５は、例えば、管体１１の保持部１１ａと同様のレール構造の保持部（図示せず）を内壁面から突出させることでヒートシンク板１４の端部を保持する。なお、ヒートシンク板１４の放熱部１４ｃと被保持部１４ｄとの間に挿入可能な突起状の構成であれば、保持部１１ａと同様の構成に限定されるものではない。この際、ヒートシンク板１４は、螺子１７によって保持されていることから、口金１５に別途突起状の保持部を形成する必要は無い。さらに、口金１５は、ヒートシンク部１４との突き当て部分から雌螺子部１４ｅに臨むように螺子１７が挿通され、例えば、抜け止め状態で螺子操作方向に回転可能に保持されている。なお、螺子１７を挿通する挿通穴１５ａを含めて口金１５の端部側はカバー１９に着脱可能に覆われている。
【００３０】
上記の構成において、口金１５は、図２（Ａ）に示すように、管体１１及びヒートシンク板１４の端部を口金１５の内壁面に突き当てて全体を短くした短管状態と、図２（Ｂ）に示すように、管体１１及びヒートシンク板１４の端部を口金１５の内壁面から離間させて全体を長くした長管状態と、に変位可能とされている。
【００３１】
具体的には、螺子１７の締め付け、図２（Ａ）に示すように、管体１１及びヒートシンク板１４の端部を口金１５の内壁面に突き当てることにより、例えば、その全長を従来の蛍光灯の２０型に対応する長さ（５８０ｍｍ）とする。
【００３２】
また、螺子１７を緩め、図２（Ｂ）に示すように、管体１１及びヒートシンク板１４の端部を口金１５の内壁面から離間させることにより、例えば、その全長を従来の蛍光灯の１６型に対応する長さ（５８８．５ｍｍ）とする。
【００３３】
この際、蛍光灯（ＬＥＤ照明装置１０）を保持する照明装置本体の保持部分は、一般的にはバネ付勢機能を具備していることから、長さ調節に誤差が生じていても、接点不良や脱落等の不具合は発生し難くなっている。なお、例えば、管体１１の外壁面に、特に、長管時の口金１５の内端位置との位置決めのための目盛等を設けて長さを規格長さに調節可能としても良い。
【００３４】
また、口金１５は、螺子１７の雌螺子部１４ｅとの進退動に連動して管体１１の軸線に沿って変位することから、口金１５が不測に回転して端子１６の位置がズレてしまう等の不具合も発生し難いように構成されている。
【００３５】
また、口金１５が長管方向に変位しても、基板１３への配線構造は一端側で行なっていることから、配線の配策等に不測な干渉等の不具合が発生することもない。さらに、管体１１の一端側（配線側）は、螺子１７により口金１５の内壁面との突き当て状態を維持していることから、管体１１やヒートシンク板１４と口金１５との係合・保持状態が損なわれることも無い。
【００３６】
さらに、変位した口金１５においても、螺子１７とヒートシンク板１４との螺合状態や管体１１と口金１５との係合状態は維持されているため、管体１１やヒートシンク板１４と口金１５との係合・保持状態が損なわれることも無い。
【００３７】
（実施例２）
図３は本発明のＬＥＤ照明装置の実施例２を示し、図３（Ａ）は図１（Ｂ）のＢ−Ｂ線に沿う短管状態の要部の拡大断面図、図３（Ｂ）は長管状態の要部の平面図である。尚、上記実施の形態（図１）及び実施例１(図２）と同一の構成には、同一の符号を付して、その説明は省略する。
【００３８】
図３において、口金１５には、上記実施例１の雌螺子部１４ｅに変えて単なる穴状とされた係合穴１４ｆと係合し、管体１１の軸線方向に沿って突出する突起軸１５ｂが一体に形成されている。この突起１５ｂは、上記実施例１の螺子１７の螺子部分に相当してヒートシンク板１４を保持している。
【００３９】
また、口金１５には、図３（Ｂ）に示すように、口金１５とは独立して弾性変形可能な弾性片１５ｃが一体に形成されており、この弾性片１５ｃの自由端部付近には凸部１５ｄが形成されている。尚、凸部１５ｄよりも先端側内面には、自由端部を弾性変形（反り返り）させる際に指先と係合するテーパ面１５ｅが形成されている。
【００４０】
一方、管体１１の端部付近には、凸部１５ｄと係合するように管体１１の軸線方向に沿う複数個所（実施例２では２箇所）に凹部１１ｂ，１１ｃが形成されている。
【００４１】
上記の構成において、口金１５は、図３（Ａ）に示すように、管体１１及びヒートシンク板１４の端部を口金１５の内壁面に突き当てて全体を短くした短管状態と、図３（Ｂ）に示すように、口金１５を管体１１の軸線方向に沿って変位させた長管状態と、に変位可能とされている。
【００４２】
具体的には、図３（Ａ）に示すように、凸部１５ｄを管体１１の内側の凹部１１ｂに係合させて管体１１及びヒートシンク板１４の端部を口金１５の内壁面に突き当てることにより、例えば、その全長を従来の蛍光灯の２０型に対応する長さ（５８０ｍｍ）とする。
【００４３】
また、図３（Ｂ）に示すように、凸部１５ｄを管体１１の外側（端部側）の凹部１１ｃに係合させて管体１１及びヒートシンク板１４の端部を口金１５の内壁面から離間させることにより、例えば、その全長を従来の蛍光灯の１６型に対応する長さ（５８８．５ｍｍ）とする。
【００４４】
この際、短管状態と長管状態とは、凹部１１ｃ，１１ｄの形成位置によって規定されるため、長さ調節に誤差が生じ難くなっている。
【００４５】
また、口金１５は、突起軸１５ｂの係合穴１４ｆとの進退動に連動して管体１１の軸線に沿って変位することから、口金１５が不測に回転して端子１６の位置がズレてしまう等の不具合も発生し難いように構成されている。
【００４６】
また、口金１５が長管方向に変位しても、基板１３への配線構造は一端側で行なっていることから、配線の配策等に不測な干渉等の不具合が発生することもない。さらに、管体１１の一端側（配線側）は、螺子１７により口金１５の内壁面との突き当て状態を維持していることから、管体１１やヒートシンク板１４と口金１５との係合・保持状態が損なわれることも無い。
【００４７】
さらに、変位した口金１５においても、突起軸１５ｂと係合穴１４ｆとの係合状態が維持されているため、管体１１やヒートシンク板１４と口金１５との係合・保持状態が損なわれることも無い。
【００４８】
ところで、実施例２では、口金１５の内側で管体１１を保持する構成を採用したが、口金１５の外側で管体１１を保持する構成でも良い。この場合、上述した弾性片１５ｃ及び凸部１５ｄと凹部１１ｂ，１１ｃの関係は逆になる。
【００４９】
このように、本発明のＬＥＤ照明装置１０にあっては、円筒状の管体１１と、管体１１の軸線方向に沿って内装された基板１３と、基板１３に実装された複数のＬＥＤ光源１２と、管体１１の両端に配置された口金１５と、口金１５から突出された端子１６と、を備え、口金１５の少なくとも一方を管体１１に対して軸線方向に沿って変位可能としたことにより、規格の異なるサイズへの対応を可能とし得て、汎用性を向上することができる。
【符号の説明】
【００５０】
１０…ＬＥＤ照明装置
１１…管体
１２…ＬＥＤ光源
１３…基板
１４…ヒートシンク板（ブラケット）
１５…口金
１６…端子
【図１】
2013089326.tif 000003
【図２】
2013089326.tif 000004
【図３】
2013089326.tif 000005